(57)【要約】【課題】移動状態に応じて適切なハンドオーバがなされるようにすることを目的とする。【解決手段】  移動通信端末であって、外部のシステムと通信する通信部と、前記外部のシステムから、当該移動通信端末の移動速度が変化することを示す情報を受信する受信部と、前記受信部が前記情報を受信したことに応じて、接続すべき基地局の選択に用いられるパラメータを選択する選択部と、選択された前記パラメータを用いて、二以上の基地局から接続すべき一の基地局を決定する決定部と、を有する、移動通信端末を提供する。【選択図】図４
2014217022.tif 000002
【特許請求の範囲】
【請求項１】
移動通信端末であって、
外部のシステムと通信する通信部と、
前記外部のシステムから、当該移動通信端末の移動速度が変化することを示す情報を受信する受信部と、
前記受信部が前記情報を受信したことに応じて、接続すべき基地局の選択に用いられるパラメータを選択する選択部と、
選択された前記パラメータを用いて、二以上の基地局から接続すべき一の基地局を決定する決定部と、
を有する、移動通信端末。
【請求項２】
前記外部のシステムは改札機であり、
前記通信部は、前記移動通信端末の有するＲＦＩＣにより前記改札機と通信する、
請求項１に記載の移動通信端末。
【請求項３】
前記決定部は、当該移動通信端末の移動速度に応じて選択された前記パラメータを用いて、前記一の基地局を決定する、
請求項２に記載の移動通信端末。
【請求項４】
前記パラメータは、前記移動速度が高速である場合に選択される第１パラメータと、前記移動速度が中速である場合に選択される第２パラメータと、前記移動速度が通常である場合に選択される第３パラメータを含む、
請求項３に記載の移動通信端末。
【請求項５】
前記選択部による前記第１パラメータ及び前記第２パラメータの選択の可否を切り替える切替部
をさらに有し、
前記切替部は、前記受信部が入場を表す情報を受信すると前記第１パラメータ及び前記第２パラメータの選択を可能にし、前記受信部が退場を表す情報を受信すると前記第１パラメータ及び前記第２パラメータの選択を不可にする、
請求項４に記載の移動通信端末。
【請求項６】
前記受信部は、高速鉄道向けの第１改札機及び通常の鉄道向けの前記第２改札機から前記情報を受信し、
前記受信部が、前記第１改札機から入場を表す情報を受信すると、前記選択部は前記第１パラメータを選択し、
前記検出部が、前記第２改札機から入場を表す情報を受信すると、前記選択部は前記第２パラメータを選択する、
請求項４に記載の移動通信端末。
【請求項７】
前記第１パラメータが選択された状態で、前記受信部が、前記第２改札機から入場を表す情報を受信すると、前記選択部は前記第２パラメータを選択し、
前記第２パラメータが選択された状態で、前記受信部が、前記第２改札機から退場を表す情報を受信すると、前記選択部は前記第３パラメータを選択する、
請求項６に記載の移動通信端末。
【請求項８】
乗車券情報を格納する格納部
をさらに有し、
前記受信部が前記情報を受信すると、前記選択部は、前記乗車券情報に応じて前記パラメータを選択する、
請求項２乃至４何れか一項に記載の移動通信端末。
【請求項９】
前記乗車券情報が特急券の情報を含む場合に、前記選択部は、前記移動速度が高速である場合に用いられる第１パラメータを選択し、
前記乗車券情報が特急券の情報を含まない場合に、前記選択部は、前記移動速度が中速である場合に用いられる第２パラメータを選択する、
請求項８に記載の移動通信端末。
【請求項１０】
移動通信端末が実行する移動通信方法であって、
外部のシステムと通信する通信段階と、
前記外部のシステムから、当該移動通信端末の移動速度が変化することを示す情報を受信する受信段階と、
前記受信部が前記情報を受信したことに応じて、接続すべき基地局の選択に用いられるパラメータを選択する選択段階と、
選択された前記パラメータを用いて、二以上の基地局から接続すべき一の基地局を決定する決定段階と、
を有する、移動通信方法。
【発明の詳細な説明】
【技術分野】
【０００１】
本発明は、移動通信端末及び移動通信方法
【背景技術】
【０００２】
３ＧＰＰにおいて、第３世代と呼ばれる通信方式をさらに発展させた、ＬＴＥ（Long Term Evolution）の規格が作成され、当該規格に準じたサービスが提供されている。ＬＴＥの規格において、二以上の基地局の提供するセルの境界に移動機が存在する場合に、現在在圏しているセルから、新たなセルに切り替えるか否かを決定する方法が規定されている。
【０００３】
非特許文献１、２には、セルの遷移回数が、一定時間内に一定値を上回った場合に、移動機が中速か又は高速の移動状態（Medium-mobility又はHigh-mobility）にあるとみなし、セル遷移を決定するために用いられるパラメータを変更する方法が規定されている。移動機は、移動速度ごとに適切なパラメータを用いてセル遷移を決定することにより、近隣のセルへとスムーズに遷移できるようになる。
【０００４】
また、特許文献１、２は、セルの再選択に係る端末の消費電力の低減を目的として、セルの再選択回数を減らすために、特定のセル（ＣＳＧセル；Closed Subscriber Group cell）の情報を利用する発明を開示している。また、特許文献３、４は、セル間の頻繁な移動を検出するために、セルの履歴データを管理したり、端末装置の情報をアクセスノード間で共有したりする発明を開示している。
【先行技術文献】
【特許文献】
【０００５】
【特許文献１】特開２０１２−１０９６４０号公報
【特許文献２】特開２０１１−８７２９４号公報
【特許文献３】特表２０１１−５１１４８８公報
【特許文献４】特表２０１０−５１７３４１公報
【非特許文献】
【０００６】
【非特許文献１】３ＧＰＰ技術仕様書 ＴＳ３６．３０４
【非特許文献２】３ＧＰＰ技術仕様書 ＴＳ３６．３３１
【発明の概要】
【発明が解決しようとする課題】
【０００７】
しかしながら、従来の方法では、セルの境界等で低速で移動している場合であっても、セル遷移数に基づいて、移動状態が高速又は中速であるとみなされ、不必要なハンドオーバが生ずる可能性があった。結果として、移動機のスループット低下や、バッテリ持ち劣化を生ずる可能性があった。
【０００８】
本発明は、上記問題に鑑みてなされたものであり、移動状態に応じて適切なハンドオーバがなされるようにすることを目的とする。
【課題を解決するための手段】
【０００９】
上記課題を解決するため、本発明の一実施形態における移動通信端末は、
移動通信端末であって、
外部のシステムと通信する通信部と、
前記外部のシステムから、当該移動通信端末の移動速度が変化することを示す情報を受信する受信部と、
前記受信部が前記情報を受信したことに応じて、接続すべき基地局の選択に用いられるパラメータを選択する選択部と、
選択された前記パラメータを用いて、二以上の基地局から接続すべき一の基地局を決定する決定部と、
を有する。
【００１０】
また、本発明の一実施形態における移動通信方法は、
移動通信端末が実行する移動通信方法であって、
外部のシステムと通信する通信段階と、
前記外部のシステムから、当該移動通信端末の移動速度が変化することを示す情報を受信する受信段階と、
前記受信部が前記情報を受信したことに応じて、接続すべき基地局の選択に用いられるパラメータを選択する選択段階と、
選択された前記パラメータを用いて、二以上の基地局から接続すべき一の基地局を決定する決定段階と、
を有する。
【発明の効果】
【００１１】
本発明の一実施形態によれば、移動状態に応じて適切なハンドオーバがなされるようになる。
【図面の簡単な説明】
【００１２】
【図１】本発明の実施の一形態に係る無線通信システムを示す図。
【図２】本発明の実施の一形態に係る移動機が改札機と通信する様子を示す図。
【図３】本発明の実施の一形態に係る移動機のハードウェア構成図。
【図４】本発明の実施の一形態に係る移動機（第１実施形態）の機能ブロックを示す図。
【図５】本発明の実施の一形態に係る移動機（第１実施形態）の処理の流れを示す図。
【図６】本発明の実施の一形態に係る無線通信システム（第１実施形態）の動作例を示す図。
【図７】本発明の実施の一形態に係る移動機（第２実施形態）の機能ブロックを示す図。
【図８】本発明の実施の一形態に係る移動機（第２実施形態）の処理の流れを示す図。
【図９】本発明の実施の一形態に係る無線通信システム（第２実施形態）の動作例を示す図。
【図１０】改札機の種類と入退場情報に応じて選択されるパラメータを説明するための図。
【図１１】本発明の実施の一形態に係る移動機（第３実施形態）の機能ブロックを示す図。
【図１２】本発明の実施の一形態に係る移動機（第３実施形態）の処理の流れを示す図。
【図１３】本発明の実施の一形態に係る無線通信システム（第３実施形態）の動作例を示す図。
【図１４】乗車券情報に応じて選択されるパラメータを説明するための図。
【発明を実施するための形態】
【００１３】
以下、添付図面を参照しながら実施例を説明する。図中、同様な要素には同じ参照番号又は参照符号が付されている。
【００１４】
１．無線通信システムの概要
２．ハードウェア構成
３．第１実施形態における移動機の機能
４．第１実施形態における移動機の動作例
５．第２実施形態
機能
動作例
６．第３実施形態
機能
動作例
【００１５】
≪    １．無線通信システムの概略    ≫
図１は、本実施形態に係る無線通信システム１の概略図である。図１に示されるように、無線通信システム１は、移動機１００と、コアネットワーク２００と、E-UTRAN３００と、セクタ４１０、４２０を有する。
【００１６】
コアネットワーク２００は、E-UTRAN向けのパケット交換機２１０と、回線交換機２２０と、UTRAN（図示しない）向けのパケット交換機２３０を有する。E-UTRAN向けのパケット交換機２１０は、E-UTRAN３００、いわゆるLTEのネットワークから送信されたパケットを蓄積し、パケットの示す宛先情報を元に、送信先を振り分けて送出する。回線交換機２２０は、主に音声通話を行うため、移動機の間の物理的な通信経路を選択し、移動機同士を接続する。UTRAN向けのパケット交換機２３０は、UTRAN、いわゆる従来の3Gネットワークから送出されたパケットを蓄積し、パケットの示す宛先情報を元に、パケットを送出する。
【００１７】
E-UTRAN３００は、3GPPによって標準化されたLTEの規格に対応したネットワークであり、図１では、二つの基地局３１０、３２０（E-UTRAN NodeBとも呼ばれる）が例示されている。基地局３１０、３２０は、移動機１００との通信信号を送受信可能なエリアとして、それぞれ、セクタ４１０、４２０をカバーする。基地局３１０は、所定のキャリア周波数により、セクタ４１０内のセル４１５をカバーし、基地局４２０は、セクタ４２０内のセル４２５をカバーする。
【００１８】
移動機１００は、携帯電話、スマートフォン、あるいはＰＣ等に接続されて用いられるデータ通信端末のような、移動通信端末であり、3GPPの定めた無線アクセス技術であるE-UTRAを用いて、基地局と通信する。図１において、移動機１００は、セル４１５に属し、セル４１５をカバーする基地局３１０と通信を行うことができる。移動機１００は、一のセルに在圏している間にも、よりよい条件のセル（基地局）を再選択するために、現在通信中のセル及び隣接するセルを、無線品質に基づいてランク付けしている。以下は、３ＧＰＰにおいて既定されている、ランク付けのための式である。
【００１９】
Ｒs＝Ｑmeas,s＋ＱHyst    ・・・式（１）
Ｒn＝ＱMEAS,N＋Ｑoffset    ・・・式（２）
Ｒs    ：現在通信中のセルのランキング基準値（「Cell-ranking Criterion」）
Ｒn    ：隣接するセルのランキング基準値
Ｑmeas  ：ＲＳＲＰ（Reference Signal Received Power）測定量、又は、
ＲＳＲＱ（Reference Signal Received Quality）測定量
Ｑhyst  ：ヒステリシス値
Ｑoffset：オフセット値
移動機１００は、隣接するセルのランキング基準値が、現在通信中のセルのランキング基準値を、予め定められた時間（「ＴreselectionEUTRA」値によって表される）上回っている場合に、その隣接するセルを再選択する。ここで、「Ｑhyst」、「ＴreselectionEUTRA」の値が小さいほど、隣接するセルが再選択されやすくなる。
【００２０】
また、移動機１００は、データ通信中に、例えば、基地局３１０のカバーするセル４１５を離れ、基地局３２０のカバーするセル４２５に移動すると（図１の矢印）、通信の状態を維持したまま、接続する基地局を基地局３２０に切り替えることができる。このような処理は、一般に、ハンドオーバと呼ばれる。ハンドオーバの条件及び方法は、３ＧＰＰにおいて規定されている。以下、移動機１００で生じたイベントに基づいて、基地局がハンドオーバの実行を決定する方法を説明する。
【００２１】
移動機３００は、通信中の基地局３１０からの制御により、通信中の基地局３１０及び隣接する基地局（例えば、基地局３２０）から送信される無線信号の品質を、随時測定する。そして、その品質が、所定の条件を満たす場合に、その結果を、レポートとして、基地局３１０に送信する。所定の条件は、３ＧＰＰで定義されたイベント（Event）の種類ごとに定められている。例えば、３ＧＰＰでは、在圏する基地局から、隣接する基地局へとハンドオーバするための条件の一つとして、以下の式によって発生する「Event 3A」を規定している。
【００２２】
Ｍｎ＋Ｏｆｎ＋Ｏｃｎ−Ｈｙｓ＞Ｍｐ＋Ｏｆｐ＋Ｏｃｐ＋Ｏｆｆ  ・・・式（３）
Ｍｎ  ：隣接セルの無線品質（ＲＳＲＰ測定量又はＲＳＲＱ測定量）
Ｏｆｎ：隣接セルの周波数固有のオフセット値
Ｏｃｎ：隣接セルのセル固有のオフセット値
Ｈｙｓ：ヒステリシスパラメータ
Ｍｐ  ：現在通信中のセルの無線品質（ＲＳＲＰ測定量又はＲＳＲＱ測定量）
Ｏｆｐ：現在通信中のセルの周波数固有のオフセット値
Ｏｃｐ：現在通信中のセル固有のオフセット値
Ｏｆｆ：当該イベント用のオフセット値（a3-Offset）
なお、３ＧＰＰは、上述した「Event 3A」の他に、「Event A1」〜「Event A5」、「Event B1」〜「Event B2」等のイベントを定義している。以下、上述した「Event 3A」の例を用いて説明する。
【００２３】
移動機１００は、上記の式（３）が、一定時間（「timeToTrigger」値によって表される）、満たされ続けたことを検出すると、その結果を基地局３１０に送信する。これを受けた基地局３１０は、ハンドオーバを実行することを決定し、移動機１００及び隣接する基地局３２０に対して、ハンドオーバを行うよう指示する。その後、移動機１００は、基地局３１０から隣接する基地局３２０へと接続を切り替え、同期処理等を行った後、基地局３２０を通じたデータ通信が可能となる。ここで、上記の式で定義される値のうち、Ｈｙｓ、Ｏｆｆ、timeToTriggerの値が小さければ小さいほど、ハンドオーバが実行されやすくなる。
【００２４】
ここで、移動機１００は、自らの移動速度に応じて、上述したセルの再選択又はハンドオーバに関するパラメータを変更し、セルの再選択又はハンドオーバを実行しやすいよう制御を行うことができる。このような処理は、３ＧＰＰにおいて、「Speed dependent scaling」として規定されている。具体的には、移動機１００は、一定の時間（「ＴCRmax」値によって表される）内に、セル遷移（ハンドオーバ又はセル選択）の回数が、所定の回数（「ＮCR_H」値によって表される」）を上回った場合に、移動速度が高速（Hign-mobility）であるとみなす。また、移動機１００は、一定の時間ＴCRmax内に、セル遷移の回数が、所定の回数（「ＮCR_M」値によって表される）を上回った場合に、移動速度が中速（Medium-mobility）であるとみなす。そして、移動機１００は、それぞれの移動速度に応じて、上述したパラメータＱhyst、ＴreselectionEUTRA、timeToTriggerの値を変更し、より俊敏に隣接するセルに遷移できるようにする。
【００２５】
ここで、移動機１００は、ＲＦＩＣ（Radio Frequency Integrated Circuit）を備え、鉄道駅や通路等に設置された改札機５００からの通信に応じて、上述した、「Speed dependent scaling」に係る処理を制御することができる。図２は、移動機１００が、鉄道の改札機５００を通過した様子を表している。移動機１００と改札機５００は、例えば、非接触型ＩＣカード向けの通信方式であるＦｅｌｉｃａ（登録商標）や、その上位規格であるＮＦＣ（Near Field Communication）等の規格に従って、通信することができる。このように、移動機１００のＲＦＩＣは、改札機５００と通信することにより、鉄道駅の構内への入退場情報を受信する。移動機１００は、この通信内容に応じて、上述した、「Speed dependent scaling」に係る処理を制御する。
【００２６】
詳しくは後述するが、本発明の一実施形態において、移動機１００は、改札機５００を通過して入場情報（以後、「入場情報」とする）が受信すると、上述した「Speed dependent scaling」に係る処理を有効にする。これは、鉄道で移動中には、高速又は中速の移動速度である可能性が高いため、俊敏なセル遷移が要求されるためである。一方で、移動機１００は、改札機５００を通過して退場情報（以後、「退場情報」とする）が受信すると、上述した「Speed dependent scaling」に係る処理を無効にする。これにより、移動機１００が、高速又は中速で移動していないにも関わらず、セル遷移がなされてしまう可能性を低減することができる。このように、本発明の一実施形態では、入場情報及び退場情報が、移動機１００の移動速度の変化を表す情報として、利用される。
【００２７】
なお、以下では、移動機１００が、鉄道駅に設置された改札機５００から、ＲＦＩＣを介して，情報を受信する例を用いて説明する。しかしながら、移動機１００は、例えば、高速道路のインターチェンジに設置されたＥＴＣ（Electronic Tool Collection System）のゲートや、他の外部のシステムから、電波を介して、情報を受信しても良い。
【００２８】
≪    ２．ハードウェア構成    ≫
図３は、本発明の一実施形態における移動機１００のハードウェア構成の一例を表す。図３には、移動機１００がスマートフォンである場合の、ハードウェア構成例を表している。移動機１００は、ＣＰＵ１１と、ＲＡＭ１２と、ＲＯＭ１３と、通信モジュール１４及びアンテナ１５と、ＲＦＩＣモジュール１６及びアンテナ１７と、ＧＰＳ受信モジュール１８及びアンテナ１９と、加速度センサ２０と、ディスプレイ２１と、タッチパネル２２と、マイク２３と、スピーカ２４と、電池２５を有する。
【００２９】
ＣＰＵ１１は、移動機１００の動作制御を行うプログラムを実行する。ＲＡＭ１２は、ＣＰＵ１１のワークエリア等を構成する。ＲＯＭ１３は、ＣＰＵ１１が実行するプログラムや、プログラムの実行に必要なデータを記憶する。通信モジュール１４は、Ｅ−ＵＴＲＡＮに接続するための通信装置である。アンテナ１５は、通信モジュール１４に対応した一以上のアンテナである。
【００３０】
ＲＦＩＣモジュール１６及びそのアンテナ１７は、Ｆｅｌｉｃａ（登録商標）、ＮＦＣ（Near Field Communication）又はその他のＩＣカードの通信規格に従って、改札機５００に備えられたＩＣカードリーダライタと通信するための装置である。ＲＦＩＣモジュール１６には、さらにユーザデータを記憶可能な領域が含まれる。ＧＰＳ受信モジュール１８及びそのアンテナ１９は、ＧＰＳ衛星から送信された測位信号を受信し、移動機１００の現在位置を測定するための装置である。加速度センサ２０は、移動機１００の、ｘ、ｙ、ｚ軸方向の加速度の変化を検出する装置である。
【００３１】
ディスプレイ２１は、ユーザに対して画面を提示するための装置である。タッチパネル２２は、ユーザからの入力を受け付ける装置である。マイク２３は、ユーザの音声を電気信号に変換する。スピーカ２４は、電気信号を音声として出力する。電池２５は、移動機１００を駆動するための電力を供給する装置である。バス２６は、電池２５を除く、上述した各装置を相互に接続する。
【００３２】
なお、移動機１００が、ＰＣに接続されるデータ端末等である場合には、図３に示されるＧＰＳ受信モジュール１８及びそのアンテナ１９、加速度センサ２０、ディスプレイ２１、タッチパネル２２、マイク２３、スピーカ２４及び電池２５は、備えられていなくても良い。
【００３３】
≪    ３．第１実施形態における移動機の機能    ≫
図４は、本発明の第１実施形態に係る移動機１００の機能ブロック図である。なお、以下、本発明と関連する部分について主に説明する。したがって、移動機１００は、移動機１００としての機能を実現する上で必須な、図示しない或いは説明を省略したブロック（電源部など）を備えることに留意されたい。
【００３４】
図４に示すように、移動機１００は、無線受信部１０１と、無線送信部１０２と、接続制御部１０３と、パラメータ選択部１０４と、非接触通信部１０５と、検出部１０６と、切替部１０７と、第１格納部１５０と、第２格納部１７０とを有する。以下では、まず、第１格納部１５０及び第２格納部１７０に格納される情報を説明した後に、各機能部の詳細を説明する。
【００３５】
第１格納部１５０は、図３のＲＯＭ１３によって実現され、セル遷移情報１５１と調整パラメータ情報１５２を格納する。
【００３６】
セル遷移情報１５１は、セル遷移の履歴を表す情報を含み、セル遷移がなされるごとに更新される。セル遷移情報１５１は、主に、移動機１００の移動速度を決定するために用いられる。
【００３７】
調整パラメータ情報１５２は、セルの再選択のなされやすさを決定するＱhyst又はＴreselectionEUTRAに対し、移動速度に応じて加算又は乗算される、調整パラメータの情報を含む。調整パラメータは、３ＧＰＰ規格において、「sf-High」及び「sf-Medium」として定義され、ＱhystとＴreselectionEUTRA の両方に対し、それぞれ用意される。すなわち、移動状態が「高速」、「中速」、又は、それ以外の速度（以下、「通常」と表す）で表される場合に、ＱhystとＴreselectionEUTRA の値は、以下のように更新される。
−高速
Ｑhyst＝Ｑhyst＋sf-High（Ｑhyst向け）                          ・・・式（４）
ＴreselectionEUTRA＝ＴreselectionEUTRA×sf-High（ＴreselectionEUTRA向け）  ・・・式（５）
−中速
Ｑhyst＝Ｑhyst＋sf-Medium（Ｑhyst向け）                        ・・・式（６）
ＴreselectionEUTRA＝ＴreselectionEUTRA×sf-Medium（ＴreselectionEUTRA向け）・・・式（７）
−通常
Ｑhyst（そのままの値が使用される）                            ・・・式（８）
ＴreselectionEUTRA（そのままの値が使用される）                ・・・式（９）
また、調整パラメータ情報１５２は、移動速度（高速、中速、通常）に応じて選択される、timeToTrigger（単位：ミリ秒）の情報を含み得る。timeToTriggerの値は、より高速な移動速度に対して、より小さな値が選択される。
【００３８】
なお、一実施形態において、timeToTriggerと共に、あるいはtimeToTriggerに代えて、以下の調整パラメータが、任意の組み合わせで用いられても良い。
【００３９】
＜セル再選択に用いられる調整パラメータ＞
−Ｑoffset      ：より高い移動速度に対して、より小さな値が選択される
−ThreshServing,LowP：優先度のより低いネットワークのセルを再選択する際のＳrxlev（セル選択用受信レベル値）閾値。より高い移動速度に対して、より大きな値が選択される
−ThreshServing,LowQ：優先度のより低いネットワークのセルを再選択をする際のＳqual（セル選択用品質値）閾値。より高い移動速度に対して、より大きな値が選択される
−ThreshX,HighP    ：優先度のより高いネットワークのセルを再選択する際のＳrxlev閾値。より高い移動速度に対して、より小さな値が選択される
−ThreshX,HighQ    ：優先度のより高いネットワークのセルを再選択する際のＳqual閾値。より高い移動速度に対して、より小さな値が選択される
−ThreshX,LowP    ：優先度のより低いネットワークのセルを再選択する際のＳrxlev閾値。より高い移動速度に対して、より小さな値が選択される
−ThreshX,LowQ    ：優先度のより低いネットワークのセルを再選択する際のＳqual閾値。より高い移動速度に対して、より小さな値が選択される
【００４０】
＜ハンドオーバに用いられる調整パラメータ＞
−Ｈｙｓ            ：より高い移動速度に対して、より小さな値が選択される
−Ｏｆｆ（a3-Offset)：より高い移動速度に対して、より小さな値が選択される
【００４１】
＜セル再選択に用いられる調整パラメータ（UTRAN→E-UTRAN）＞
−ThreshServing,LowP 、ThreshServing,LowQ：優先度のより低いネットワークのセルを再選択する際のＳrxlev閾値とＳqual閾値。より高い移動速度に対して、より大きな値が選択される
−ThreshX,high、ThreshX,high2、ThreshX,low、ThreshX,low2：優先度のより高い、あるいは、より低いネットワークのセルを再選択する際のＳrxlev閾値とＳqual閾値。より高い移動速度に対して、より小さな値が選択される
【００４２】
＜ハンドオーバに用いられる調整パラメータ（UTRAN→E-UTRAN、Event3a）＞
−Ｈ3a    ：イベント３ａ用のヒステリシスパラメータ。より高い移動速度に対して、より小さな値が選択される
−ＱUsed  ：使用されたUTRAN周波数の品質推定値。より高い移動速度に対して、より大きな値が選択される
−ＭOtherRAT：他のシステムのセルの測定量。より高い移動速度に対して、より小さな値が選択される
【００４３】
また、「Event A1」〜「Event A5」、「Event B1」、「Event B2」等のイベントにおいて、より高い移動速度に対し、より小さなtimeToTrigger、Ｈｙｓ（ヒステリシス値）、ReportInterval（レポート間隔）が選択されてもよい。
【００４４】
さらに、「Event A1」〜「Event A5」、「Event B1」、「Event B2」等のイベントにおいて、閾値パラメータが、それぞれ、以下のように選択されてもよい。
−Event A1：より高い移動速度に対して、より低いThreshが選択される
−Event A2：より高い移動速度に対して、より高いThreshが選択される
−Event A4：より高い移動速度に対して、より低いThreshが選択される
−Event A5：より高い移動速度に対して、より高いThresh1と、より低いThresh2が選択される
−Event B1：より高い移動速度に対して、より低いThreshが選択される
−Event B2：より高い移動速度に対して、より高いThresh1と、より低いThresh2が選択される
以下の実施例では、「Event 3A」のtimeToTrigger値が選択される例を用いて説明する。
【００４５】
第２格納部１７０は、図３のＲＦＩＣモジュール１６内のＲＯＭ（図示しない）によって実現され、入退場情報１７１を格納する。入退場情報１７１は、改札機５００によって書き込まれる、改札の入退場情報を含み、図２に例示するように、入場又は退場した駅の駅名（識別子）、入場又は退場した時刻、運賃などの情報を含む。なお、第２格納部１７０は、入退場情報１７１のほか、ＲＦＩＣモジュール１６に固有の識別子や、電子マネーの残高情報を含み得る。
【００４６】
無線受信部１０１及び無線送信部１０２は、主に通信モジュール１４、アンテナ１５及びＣＰＵ１１の処理によって実現され、基地局と通信するための通信インターフェースを提供する。
【００４７】
接続制御部１０３は、主にＣＰＵ１１の処理によって実現される。接続制御部１０３は、無線受信部１０１により受信した電波の無線品質の情報と、パラメータ選択部１０４によって選択された調整パラメータの情報を用いて、セルの選択・再選択、ハンドオーバに係るイベント（例えば、上述した「Event 3A」）の検出を行う。
【００４８】
接続制御部１０３は、セルのランク付けを行うことにより、セルの再選択を行う。セルのランク付けは、上述の式（１）（２）に従ってなされる。ここで、ランク付けのために式（１）（２）で用いられるＱhyst及びＴreselectionEUTRAの値は、パラメータ選択部１０４の選択した調整パラメータにより、更新された値が用いられる（式（４）−式（９）参照）。
【００４９】
また、接続制御部１０３は、上述の式（３）が、パラメータ選択部１０４の選択したtimeToTrigger時間満たされると、「Event 3A」が発生したことを基地局にレポートする。
【００５０】
このように、接続制御部１０３は、接続すべきセル（基地局）を決定する決定部としての役割と、イベントの検出に応じてレポートを作成して基地局に送信する、レポート作成部（レポート送信部）としての役割を有する。
【００５１】
また、接続制御部１０３は、基地局からの指示に応じて、ハンドオーバに必要な同期処理や再接続処理を行うことができる。
【００５２】
なお、セルの選択・再選択、ハンドオーバに係るイベントの検出、該イベントに係るレポートの送信等に係る手順の詳細は、３ＧＰＰに規定されているため、ここでの説明は省略する。
【００５３】
また、接続制御部１０３は、後述するパラメータ選択部１０４により、移動速度が「高速」又は「中速」であると決定されると、現在通信中のセルと隣接するセルの両方に対して用意されている、イベント発生のための条件を規定する閾値の一方を無視しても良い。このような閾値を有するイベントの例として、「Event A5」、「Event B2」、「Evernt 3A」がある。接続制御部１０３は、移動速度が「高速」又は「中速」である場合に、これらのイベント発生の条件となる一方の閾値を無視することで、遷移のしやすさを向上させることができる。
【００５４】
パラメータ選択部１０４は、主にＣＰＵ１１の処理によって実現され、第１格納部１５０に格納されたセル遷移情報１５１を用いて、現在の移動機１００の移動速度を決定し、対応する調整パラメータを選択する。移動速度と、選択される調整パラメータとの関係は、以下の通りである。
−高速：sf-High（Ｑhyst向け）、sf-High（ＴreselectionEUTRA向け）、timeToTrigger（高速）
−中速：sf-Medium（Ｑhyst向け）、sf-Medium（ＴreselectionEUTRA向け）、timeToTrigger（中速）
−通常：timeToTrigger（通常）（Ｑhyst及びＴreselectionEUTRAに対する修正は行われない）
ここで、パラメータ選択部１０４は、移動機１００の移動速度を、一定の時間ＴCRmax内のセル遷移回数により決定する。具体的には、パラメータ選択部１０４は、セル遷移回数が、所定の回数ＮCR_Hを上回った場合に、移動速度が「高速」であると決定する。また、パラメータ選択部１０４は、セル遷移回数が、所定の回数ＮCR_Mを上回った場合に、移動速度が「中速」であると決定する。
【００５５】
パラメータ選択部１０４は、移動速度を決定すると、第１格納部１５０の調整パラメータ情報１５２を参照し、各移動速度に対応した調整パラメータを選択する。そして、パラメータ選択部１０４は、選択した調整パラメータを、接続制御部１０３に渡す。
【００５６】
なお、詳しくは後述するが、パラメータ選択部１０４は、切替部１０７より指示を受けている場合にのみ、移動速度が高速又は中速であると判定し、移動速度に応じて異なる調整パラメータを選択できる。一方で、切替部１０７より指示を受けていない場合には、移動速度によらず、移動速度が「通常」であるものとして、調整パラメータを選択する。すなわち、移動速度が「通常」である場合には、対応するtimeToTrigger値が選択され、Ｑhyst及びＴreselectionEUTRAに対する修正値は選択されない（あるいは、Ｑhystに対する修正パラメータとして０を、ＴreselectionEUTRAに対する修正パラメータとして１を選択するようにしても良い）。
【００５７】
なお、上述したように、timeToTrigger以外の、任意の調整パラメータが、パラメータ選択部１０４によって選択されてもよい。
【００５８】
非接触通信部１０５は、主にＲＦＩＣモジュール１６及びアンテナ１７によって実現され、改札機５００から送信された信号を読み取り、入退場情報を第２格納部１７０の入退場情報１７１として書き込む。非接触通信部１０５は、駅の改札の内側に入るとき、入場情報（入場した駅の名称、時刻等）を受信し、その情報を入退場情報１７１として書き込む。また、非接触通信部１０５は、駅の改札の外側に出るとき、退場情報（退場した駅の名称、時刻等）を受信し、その情報を入退場情報１７１として書き込む。
【００５９】
検出部１０６は、主にＣＰＵ１１の処理によって実現され、非接触通信部１０５による改札機５００との通信を検出する。検出部１０６は、非接触通信部１０５が、入場情報、又は、退場情報を受信したことを検出し、その旨を、切替部１０７に通知する。
【００６０】
切替部１０７は、主にＣＰＵ１１の処理によって実現され、検出部１０６から、入場情報を受信した旨の通知を受けると、パラメータ選択部１０４に、移動速度が高速又は中速であると判定し、その結果に応じて異なる調整パラメータを選択するよう指示する。言い換えると、切替部１０７は、調整パラメータ選択によるSpeed dependent scalingを有効にするよう、パラメータ選択部１０４のモードを切り替える。従って、接続制御部１０３は、移動速度に応じて異なるパラメータを使用して、セル再選択やハンドオーバーを行う。
【００６１】
一方、切替部１０７は、検出部１０６から、退場情報を受信した旨の通知を受けると、パラメータ選択部１０４に、移動速度によらず、移動速度が「通常」の場合の調整パラメータを選択するよう指示する。言い換えると、切替部１０７は、調整パラメータ選択によるSpeed dependent scalingを無効にするよう、パラメータ選択部１０４のモードを切り替える。従って、接続制御部１０３は、移動速度によらず、同一のパラメータを基準に、セル再選択やハンドオーバーを行う。
【００６２】
以上の機能により、本発明の一実施形態における移動機１００は、鉄道駅の改札の内側に入場した場合に、移動状態が「高速」又は「中速」であると決定し、これに応じたセル遷移を行うことが可能になる。一方で、鉄道駅の改札の外側に退場した場合には、移動状態が「高速」又は「中速」と決定されず、不用意なセル遷移がなされる可能性が低減される。
【００６３】
≪    ４．第１実施形態における移動機の動作例    ≫
次に、図５、図６を用いて、本発明の第１実施形態における移動機１００及び無線通信システム１の動作例を説明する。
【００６４】
図５は、本発明の第１実施形態における移動機１００の処理フローを表す図である。
【００６５】
まず、検出部１０６が、改札機５００から入場情報を受信したことを検出すると（ステップＳ１０１のＹｅｓ）、切替部１０７は、パラメータ選択部１０４に対して、移動速度に応じて異なる調整パラメータを選択するよう指示する（すなわち、Speed dependent scalingを有効にする）（ステップＳ１０２）。そうでない場合には、再びステップＳ１０１に戻る。
【００６６】
次に、パラメータ選択部１０４は、第１格納部１５０のセル遷移情報１５１を参照し、一定時間ＴCRmax内のセル遷移の回数が、一定値ＮCR_Hを上回っている場合に（ステップＳ１０３のＹｅｓ）、調整パラメータ（高速）を選択し、その調整パラメータを接続制御部１０３に渡す（ステップＳ１０４）。そうでない場合には、ステップＳ１０５に進む。
【００６７】
次に、パラメータ選択部１０４は、第１格納部１５０のセル遷移情報１５１を参照し、一定時間ＴCRmax内のセル遷移の回数が、一定値ＮCR_Mを上回っている場合に（ステップＳ１０５のＹｅｓ）、調整パラメータ（中速）を選択し、その調整パラメータを接続制御部１０３に渡す（ステップＳ１０６）。そうでない場合には、パラメータ選択部１０４は、調整パラメータ（通常）を選択し、その調整パラメータを接続制御部１０３に渡す。
【００６８】
次に、検出部１０６が、改札機５００から退場情報を受信したことを検出すると（ステップＳ１０８のＹｅｓ）、切替部１０７は、パラメータ選択部１０４に対して、移動速度によらず、移動速度が「通常」の場合の調整パラメータを選択するよう指示する（すなわち、Speed dependent scalingを無効にする）（ステップＳ１０９）。そうでない場合には、ステップＳ１０３に戻る。
【００６９】
以上の処理により、改札機５００の入退場に合わせて、Speed dependent scalingの有効／無効を切り替え、特に高速での移動が見込まれない、改札の外側の領域では、セル選択やハンドオーバが頻繁に行われにくくすることができる。結果として、不必要なセル遷移による、移動機１００のスループット低下や、バッテリの消耗を抑えることができる。
【００７０】
図６は、本発明の第１実施形態における無線通信システム１の動作例を表すシーケンス図である。図６では、移動機１００と基地局又はコアネットワークとの間でなされる、接続の確立や切断シーケンス、ハンドオーバを実行する際のシーケンス等の記載は、省略している。
【００７１】
まず、移動機１００の接続制御部１０３は、３ＧＰＰで規定されるセル選択の手順を経て、基地局３１０と接続を確立し（ステップＳ２０１）、第１格納部１５０に格納されたセル遷移情報１５１を更新する（ステップＳ２０２）。
【００７２】
次に、移動機１００の非接触通信部１０５は、改札機５００から入場情報を受信し、その情報を、第２格納部１７０に、入退場情報１７１として書き込む（ステップＳ２０３）。ここで、上述したように、Speed dependent scalingの機能が有効化され、移動機の移動速度に応じた調整パラメータが選択されるようになる。
【００７３】
その後、移動機１００の移動に伴い、接続制御部１０３は、基地局３２０との接続を確立したものとする（ステップＳ２０４）。接続制御部１０３は、遷移情報１５１を更新する（ステップＳ２０５）。
【００７４】
ここで、移動機１００のパラメータ選択部１０４は、セル遷移情報１５１を参照し、一定時間ＴCRmax内のセル遷移の回数が、一定値ＮCR_Hを上回っていることを検出したものとする。パラメータ選択部１０４は、調整パラメータ（高速）を選択し、その調整パラメータを接続制御部１０３に渡す（ステップＳ２０６）。この間、移動機１００と基地局３２０との間で、データ通信がなされているものとする。
【００７５】
移動機１００の接続制御部１０３は、受け取った調整パラメータを用いて、式（３）の評価を行い、「Event 3A」を検出する（ステップＳ２０７）。そして、接続制御部１０３は、基地局３２０にレポートを送信する（ステップＳ２０８）。
【００７６】
レポートを受信した基地局３２０は、移動機１００が、基地局３３０へのハンドオーバを実行することを決定し、ハンドオーバに係る処理を実行するよう、移動機１００に指示する（図示しない）。移動機１００の接続制御部１０３は、基地局３２０からの指示に応じて、基地局３３０へのハンドオーバに係る処理を実行し、基地局３３０と接続する（ステップＳ２０９）。
【００７７】
その後、移動機１００の非接触通信部１０５は、改札機５００から退場情報を受信し、その情報を、第２格納部１７０に、入退場情報１７１として書き込む（ステップＳ２１０）。ここで、上述したように、Speed dependent scalingの機能が無効化され、移動機の移動速度に応じた調整パラメータが選択されるようになる。
【００７８】
以上のように、本発明の第１実施形態における無線通信システム１では、改札の入退場に合わせて、セル遷移の頻度を制御するSpeed dependent scaling機能の有効／無効を切り替える。これにより、移動機１００は、鉄道を利用した高速移動中にのみ、セル遷移の頻度を高めることを可能になり、鉄道を利用しない歩行時など、通常の移動速度での移動中に、不用意なセル遷移を行わない。その結果、移動機１００のスループット低下やバッテリの消耗を抑えることができるという利点が得られる。
【００７９】
≪    ５．第２実施形態    ≫
次に、図７−図１０を用いて、本発明の第２実施形態における移動機１００Ａ及び無線通信システム１Ａを説明する。本実施形態では、移動機１００Ａは、鉄道駅に設置された二種類の改札機５００Ａ、５００Ｂから、入退場情報を受信する。改札機５００Ａは、新幹線に代表される、高速鉄道向けの改札機であり、改札機５００Ｂは、在来線に代表される、通常の鉄道向けの改札機である。以下、通常の鉄道向けの改札機のことを、高速鉄道向けの改札機と対比させるために、普通鉄道と呼ぶことにする。なお、移動機１００Ａのハードウェア構成は、図３に示したように、移動機１００のハードウェア構成と同様である。
【００８０】
≪    機能    ≫
まず、図７を用いて、本発明の第２実施形態における移動機１００Ａの機能を説明する。
【００８１】
移動機１００Ａの非接触通信部１０１は、二種類の改札機５００Ａ、５００Ｂから、入退場情報を受信し、第２格納部１７０に、入退場情報１７１として格納する。
【００８２】
移動機１００Ａの検出部１０３Ａは、非接触通信部１０１が、二種類の改札機５００Ａ、５００Ｂから入退場情報を受信したことを検出し、その旨を、パラメータ選択部１０４Ａに通知する。
【００８３】
移動機１００Ａのパラメータ選択部１０４Ａは、検出部１０３Ａが改札機からの入退場情報の受信を検出すると、第１格納部１５０の調整パラメータ情報１５２に格納された調整パラメータを選択し、選択した調整パラメータを接続制御部１０３Ａに渡す。図１０は、検出部１０３Ａが検出した入退場情報の内容に応じて選択される調整パラメータとの関係を表す。
【００８４】
図１０に示されるように、パラメータ選択部１０４Ａは、改札機５００Ａ（高速鉄道向け改札）から入場情報を受信すると、調整パラメータ（高速）を選択する。また、パラメータ選択部１０４Ａは、改札機５００Ｂ（通常の鉄道向け改札）から入場情報を受信すると、調整パラメータ（中速）を選択する。
【００８５】
ここで、改札機５００Ａ（高速鉄道向け改札）から退場情報を受信すると、調整パラメータ（中速）又は調整パラメータ（通常）が選択される。これは、改札機５００Ａから「退場」し、同時に改札機５００Ｂから「入場」した場合には、調整パラメータ（中速）が選択され、改札機５００Ａから、直接外部へ「退場」した場合には、調整パラメータ（通常）が選択されることを表している。
【００８６】
移動機１００Ａの接続制御部１０３Ａは、Speed dependent scalingの手順によらず、パラメータ選択部１０４Ａから受信した調整パラメータを常に用いて、セルの再選択のためのランク付け及びハンドオーバのためのイベント検出を行う。
【００８７】
以上の機能により、本発明の一実施形態における移動機１００Ａは、鉄道による高速移動が想定されない場合には、セル遷移の頻度を落とす一方、鉄道の改札の内部では、鉄道の速度に応じて、セル遷移が行われやすいように、セル再選択又はハンドオーバを実行することができる。
【００８８】
≪    動作例    ≫
次に、図８、図９を用いて、本発明の第２実施形態における移動機１００Ａ及び無線通信システム１Ａの動作例を説明する。
【００８９】
図８は、本発明の第２実施形態における移動機１００Ａの処理フローを表す図である。
【００９０】
まず、検出部１０３Ａが、改札機５００Ａ（高速鉄道向け改札機）から、入場情報を受信したことを検出すると（ステップＳ３０１のＹｅｓ）、パラメータ選択部１０４Ａは、調整パラメータ（高速）を選択する（ステップＳ３０２）。そうでない場合には、ステップＳ３０６に進み，調整パラメータ（中速）を選択する。
【００９１】
ステップＳ３０２に続いて、改札機５００Ｂ（普通鉄道の改札機）から、入場情報を受信（同時に改札機５００Ａから退場情報を受信）した場合（ステップＳ３０３のＹｅｓ）、ステップＳ３０６に進む。そして、パラメータ選択部１０４Ａは、調整パラメータ（中速）を選択する（ステップＳ３０６）。
【００９２】
一方、ステップＳ３０２に続いて、検出部１０３Ａが、改札機Ｂから、入場情報を受信せず（ステップＳ３０３のＮｏ）、改札機５００Ａから退場情報を受信した場合（ステップＳ３０４のＹｅｓ）、調整パラメータ（通常）を選択し（ステップＳ３０５）、処理を終了する。また、改札機５００Ａから退場情報を受信しなかった場合には、ステップＳ３０３に戻る。
【００９３】
ステップＳ３０６において、調整パラメータ（中速）が選択された後、検出部１０３Ａが、改札機５００Ａから、入場情報を受信すると（ステップＳ３０７のＹｅｓ）、ステップＳ３０２に戻り、調整パラメータ（高速）を選択する。
【００９４】
一方、検出部１０３Ａが、改札機５００Ａから、入場情報を受信せず（ステップＳ３０７のＮｏ）、改札機５００Ｂから退場情報も受信した場合（ステップＳ３０４のＹｅｓ）、調整パラメータ（通常）を選択し（ステップＳ３０５）、処理を終了する。また、改札機５００Ｂから退場情報を受信しなかった場合には、ステップＳ３０７に戻る。
【００９５】
以上の処理により、移動機１００Ａは、例えば新幹線と在来線のように、移動速度の異なる移動手段ごとに、セル遷移のしやすさを制御することができる。その結果として、移動手段の利用時には、スムーズなセル遷移が実現される一方で、高速な移動手段を使用していないときには、セル遷移を抑制することにより、不要なセル遷移に起因するスループットの低下を防ぐことができる。
【００９６】
図９は、本発明の第２実施形態における無線通信システム１Ａの動作例を表すシーケンス図である。図９では、移動機１００Ａと基地局又はコアネットワークとの間でなされる、接続の確立や切断シーケンス、ハンドオーバを実行する際のシーケンス等の記載は、省略している。
【００９７】
まず、移動機１００Ａの接続制御部１０３Ａは、３ＧＰＰで規定されるセル選択の手順を経て、基地局３１０と接続を確立する（ステップＳ４０１）。次に、移動機１００Ｂの非接触通信部１０５は、改札機５００Ａ（高速鉄道向け改札機）から入場情報を受信し、その情報を、第２格納部１７０に、入退場情報１７１として書き込む（ステップＳ４０２）。また、移動機１００Ａのパラメータ選択部１０４Ａは、調整パラメータ（高速）を選択し、その調整パラメータを接続制御部１０３Ａに渡す（ステップＳ４０３）。
【００９８】
次に、移動機１００Ａの接続制御部１０３Ａは、受け取った調整パラメータを用いて、式（３）の評価を行い、「Event 3A」を検出する（ステップＳ４０４）。そして、接続制御部１０３Ａは、基地局３１０にレポートを送信する（ステップＳ４０５）。レポートを受信した基地局３１０は、移動機１００Ａが、基地局３２０へのハンドオーバを実行することを決定し、ハンドオーバに係る処理を実行するよう、移動機１００Ａに指示する（図示しない）。移動機１００Ａの接続制御部１０３Ａは、基地局３１０からの指示に応じて、基地局３２０へのハンドオーバに係る処理を実行し、基地局３２０と接続する（ステップＳ４０６）。
【００９９】
次に、移動機１００Ａの非接触通信部１０５は、改札機５００Ａ（高速鉄道向け改札機）から退場情報を受信し（ステップＳ４０７）、同時に、改札機５００Ｂ（普通鉄道向け改札機）から入場情報を受信する（ステップＳ４０８）。そして、移動機１００Ａのパラメータ選択部１０４Ａは、調整パラメータ（中速）を選択し、その調整パラメータを接続制御部１０３Ａに渡す（ステップＳ４０９）。
【０１００】
次に、移動機１００Ａの接続制御部１０３Ａは、受け取った調整パラメータを用いて、式（３）の評価を行い、再び「Event 3A」を検出する（ステップＳ４１０）。そして、接続制御部１０３Ａは、基地局３２０にレポートを送信する（ステップＳ４１１）。レポートを受信した基地局３２０は、移動機１００Ａが、基地局３３０へのハンドオーバを実行することを決定し、ハンドオーバに係る処理を実行するよう、移動機１００Ａに指示する（図示しない）。移動機１００Ａの接続制御部１０３Ａは、基地局３２０からの指示に応じて、基地局３３０へのハンドオーバに係る処理を実行し、基地局３３０と接続する（ステップＳ４１２）。
【０１０１】
その後、移動機１００Ａの非接触通信部１０５は、改札機５００Ｂから退場情報を受信する（ステップＳ４１３）。そして、移動機１００Ａのパラメータ選択部１０４Ａは、調整パラメータ（通常）を選択し、その調整パラメータを接続制御部１０３Ａに渡す（ステップＳ４１４）。
【０１０２】
以上のように、本発明の第２実施形態における無線通信システム１Ａでは、新幹線や在来線のような、移動手段の速度に応じて、移動機のセル遷移の頻度を変化させることができる。一方で、移動手段を用いていない場合には、移動機のセル遷移の頻度を抑えるよう、パラメータを選択する。これにより、移動機の不用意なセル遷移が抑制され、スループットの低下やバッテリの消耗を抑制することができる。
【０１０３】
≪    ６．第３実施形態    ≫
次に、図１０−図１４を用いて、本発明の第３実施形態における移動機１００Ｂ及び無線通信システム１Ｂを説明する。本実施形態では、移動機１００Ｂの第２格納部１７０には、入退場情報１７１に加えて、乗車券情報１７２が格納されている。乗車券情報１７２は、鉄道駅に設置された券売機等を通じて書き込まれた、特急券の情報を格納する。特急券は、特急料金の必要となる列車に乗車するために必要となる。移動機１００Ｂのハードウェア構成は、図３に示したように、移動機１００のハードウェア構成と同様である。
【０１０４】
≪    機能    ≫
まず、図１１を用いて、本発明の第３実施形態における移動機１００Ｂの機能を説明する。上述したように、移動機１００Ｂの第２格納部１７０には、乗車券情報１７２が予め格納されている。
【０１０５】
移動機１００Ｂの検出部１０３Ｂは、非接触通信部１０１が改札機５００から入退場情報を受信したことを検出すると、第２格納部１７０の乗車券情報１７２として、特急券の情報が書き込まれているかどうかも検出し、その内容を、パラメータ選択部１０４Ｂに通知する。
【０１０６】
移動機１００Ｂのパラメータ選択部１０４Ｂは、検出部１０３Ｂが検出した入退場情報及び特急券の情報の書き込みの有無に応じて、第１格納部１５０の調整パラメータ情報１５２に格納された調整パラメータを選択し、選択した調整パラメータを接続制御部１０３Ｂに渡す。図１４は、検出部１０３Ｂが検出した入退場情報の内容と、選択される調整パラメータとの関係を表す。
【０１０７】
図１４に示されるように、パラメータ選択部１０４Ｂは、改札機５００から入場情報を受信したとき、乗車券情報１７２に、特急券の情報が含まれる場合に、調整パラメータ（高速）を選択し、そうでない場合に、調整パラメータ（中速）を選択する。また、パラメータ選択部１０４Ｂは、改札機５００から退場情報を受信したとき、調整パラメータ（通常）を選択する。
【０１０８】
移動機１００Ｂの接続制御部１０３Ｂは、Speed dependent scalingの手順によらず、パラメータ選択部１０４Ｂから受信した調整パラメータを常に用いて、セルの再選択のためのランク付け及びハンドオーバのためのイベント検出を行う。
【０１０９】
以上の機能により、本発明の一実施形態における移動機１００Ｂは、鉄道駅の改札を通過するまでは、セル遷移の頻度を低く設定し、鉄道駅の改札を通過すると、特急券の有無に応じて、セル遷移の頻度を高く設定することができる。これにより、鉄道乗車時には適切なセル遷移が行われる一方、鉄道乗車時でない場合には、不要なセル遷移が抑制される。
【０１１０】
≪    動作例    ≫
次に、図１２、図１３を用いて、本発明の第３実施形態における移動機１００Ｂ及び無線通信システム１Ｂの動作例を説明する。
【０１１１】
図１２は、本発明の第３実施形態における移動機１００Ｂの処理フローを表す図である。
【０１１２】
まず、検出部１０３Ｂが、改札機５００から、入場情報を受信したことを検出すると（ステップＳ５０１のＹｅｓ）、ステップＳ５０２に進む。そうでない場合には、ステップＳ５０１を再度実行する。
【０１１３】
次に、検出部１０３Ｂが、第２格納部１７０の乗車券情報１７２に特急券の情報が含まれていることを検出した場合には（ステップＳ５０２のＹｅｓ）、パラメータ選択部１０４Ｂは、調整パラメータ（高速）を選択する（ステップＳ５０３）。そうでない場合には、ステップＳ３０６に進み，調整パラメータ（中速）を選択する（ステップＳ５０４）。
【０１１４】
そして、検出部１０３Ｂが、改札機５００から、退場情報を受信したことを検出すると（ステップＳ５０５のＹｅｓ）、パラメータ選択部１０４Ｂは、調整パラメータ（通常）を選択し（ステップＳ５０６）、処理を終了する。そうでない場合には、ステップＳ５０５を再度実行する。
【０１１５】
以上の処理により、特急券の有無に応じて、セル遷移の頻度を制御することができる一方、鉄道に乗車していない場合には、セル遷移の頻度を抑制することができる。
【０１１６】
図１３は、本発明の第３実施形態における無線通信システム１Ｂの動作例を表すシーケンス図である。図１３では、移動機１００Ｂと基地局又はコアネットワークとの間でなされる、接続の確立や切断シーケンス、ハンドオーバを実行する際のシーケンス等の記載は、省略している。
【０１１７】
まず、移動機１００Ｂの接続制御部１０３Ｂは、３ＧＰＰで規定されるセル選択の手順を経て、基地局３１０と接続を確立する（ステップＳ６０１）。次に、移動機１００Ｂの非接触通信部１０５は、改札機５００から入場情報を受信し、その情報を、第２格納部１７０に、入退場情報１７１として書き込む（ステップＳ６０２）。ここで、検出部１０３Ｂは、第２格納部１７０に格納された乗車券情報に、特急券の情報が含まれることを検出する（ステップＳ６０３）。そこで、移動機１００Ｂのパラメータ選択部１０４Ｂは、調整パラメータ（高速）を選択し、その調整パラメータを接続制御部１０３Ｂに渡す（ステップＳ６０４）。
【０１１８】
次に、移動機１００Ｂの接続制御部１０３Ｂは、受け取った調整パラメータを用いて、式（３）の評価を行い、「Event 3A」を検出する（ステップＳ６０５）。そして、接続制御部１０３Ｂは、基地局３１０にレポートを送信する（ステップＳ６０６）。レポートを受信した基地局３１０は、移動機１００Ｂが、基地局３２０へのハンドオーバを実行することを決定し、ハンドオーバに係る処理を実行するよう、移動機１００Ｂに指示する（図示しない）。移動機１００Ｂの接続制御部１０３Ｂは、基地局３１０からの指示に応じて、基地局３２０へのハンドオーバに係る処理を実行し、基地局３２０と接続する（ステップＳ６０７）。
【０１１９】
次に、移動機１００Ｂの非接触通信部１０５は、改札機５００から退場情報を受信する（ステップＳ６０８）。そして、移動機１００Ｂのパラメータ選択部１０４Ｂは、調整パラメータ（通常）を選択し、その調整パラメータを接続制御部１０３Ｂに渡す（ステップＳ６０９）。
【０１２０】
以上のように、本発明の第３実施形態における無線通信システム１Ｂでは、移動機に格納された特急券の情報を用いて、セル遷移の頻度を切り替える。これによって、移動速度に応じたセル遷移のパラメータ設定が可能になる。一方で、鉄道のような移動手段を利用しないときには、セル遷移の頻度を落とすことにより、不要なセル遷移を抑制することができる。その結果、不用意なセル遷移による、スループットの低下や、バッテリの消耗を、抑制することができる。
【符号の説明】
【０１２１】
１、１Ａ、１Ｂ  無線通信システム１
１００、１００Ａ、１００Ｂ  移動機
１０１  無線受信部
１０２  無線送信部
１０３、１０３Ａ、１０３Ｂ  接続制御部
１０４、１０４Ａ、１０４Ｂ  パラメータ選択部
１０５  非接触通信部
１０６、１０６Ａ、１０６Ｂ  検出部
１０７  切替部
１５０  第１格納部
１７０  第２格納部
２００  コアネットワーク
３００  Ｅ−ＵＴＲＡＮ
３１０、３２０  基地局
４１０、４２０  セクタ
４１５、４２５  セル
５００  改札機
【図１】
2014217022.tif 000003
【図２】
2014217022.tif 000004
【図３】
2014217022.tif 000005
【図４】
2014217022.tif 000006
【図５】
2014217022.tif 000007
【図６】
2014217022.tif 000008
【図７】
2014217022.tif 000009
【図８】
2014217022.tif 000010
【図９】
2014217022.tif 000011
【図１０】
2014217022.tif 000012
【図１１】
2014217022.tif 000013
【図１２】
2014217022.tif 000014
【図１３】
2014217022.tif 000015
【図１４】
2014217022.tif 000016